(57)【要約】【課題】サッシレールにたまった塵埃を確実かつ迅速かつ簡易に清掃することのできるサッシレール掃除用スポンジを低コストで提供することである。【解決手段】把持部１１と拭き取り部１２とを有し、把持部１１をつかんで拭き取り部１２を操作し、拭き取り部１２でサッシのレールにたまった塵埃を拭き取るサッシレール掃除用スポンジにおいて、前記拭き取り部１２をサッシレールの横断面形状に対応させて、階段状の段差を設けた形状としたのである。また、拭き取り部１２のそれぞれの段ごとに、切れ込み１２ａを形成することで拭き取り部１２を複数の拭き取り小片１２ｂに分割し、さらに、サッシレールの傾斜に対応させ、それぞれの段ごとに、傾斜の下端に当接する拭き取り小片１２ｂから上端に当接する拭き取り小片１２ｂにかけて、長さを次第に長くなるように形成したのである。【選択図】図１
0003108486.tif 000002
【実用新案登録請求の範囲】
【請求項１】
把持部と拭き取り部とを有し、把持部をつかんで拭き取り部を操作し、拭き取り部でサッシのレールにたまった塵埃を拭き取るサッシレール掃除用スポンジにおいて、前記拭き取り部をサッシレールの横断面形状に対応させて、階段状に段差を設けて形成したことを特徴とするサッシレール掃除用スポンジ。
【請求項２】
前記拭き取り部のそれぞれの段ごとに切れ込みを形成することで、拭き取り部を複数の拭き取り小片に分割した請求項１に記載のサッシレール掃除用スポンジ。
【請求項３】
前記拭き取り小片の長さを、サッシレールの傾斜に対応させ、それぞれの段ごとに、傾斜の下端に当接する拭き取り小片から上端に当接する拭き取り小片にかけて、次第に長くなるように形成した請求項２に記載のサッシレール掃除用スポンジ。
【考案の詳細な説明】
【技術分野】
【０００１】
この考案は、サッシのレールにたまった塵埃を拭き取るサッシレール掃除用スポンジに関する。
【背景技術】
【０００２】
室内を気密に保つために、多くの家屋の窓枠等にサッシが採用されている。このようなサッシには、引き違い戸や網戸などがはめ込まれサッシレールに沿ってスライド可能になっている。また、サッシレールは上記した引き違い戸等のそれぞれに対応して二以上のレールが平行し、それらが階段状に配置される構造となっている。
【０００３】
このように、サッシレールには段差があるため塵埃がたまり汚れやすいところ、従来はブロック状のスポンジ等の清掃具で清掃を行っていたため、サッシレールの形状にフィットせずレールの隅部等を拭き残してしまう問題があった。またこの場合に、拭き残した部分を別途ブラシ等で清掃するとなると手間や時間がかかる問題があった。
【０００４】
上記した問題を解消すべく、特許文献１には、ベース板に植毛されたブラシ毛の毛足をレール溝の形状に対応させて、段差を形成して切りそろえ、刈り込んでなる清掃用ブラシが提案されている。このようにブラシの毛足に段差を形成することで、サッシレールの段差形状にフィットするため清掃の能率は上がる。
【０００５】
しかし、この場合、構造が複雑であり製造コストがかかるところ、消耗品であるサッシレール清掃具が高コストであるのは問題であった。また、拭き取り部がブラシからなる場合、スポンジ等に比べると洗剤をよく含ませることができないため、頑固な汚れに対しては清掃能力が劣る問題もあった。
【特許文献１】特開２００４-４４２８２号公報
【考案の開示】
【考案が解決しようとする課題】
【０００６】
そこでこの考案の解決すべき課題は、サッシレールにたまった塵埃等からなる汚れを確実かつ迅速かつ簡易に清掃することのできるサッシレール掃除用スポンジを低コストで提供することにある。
【課題を解決するための手段】
【０００７】
上記した課題を解決するためこの考案は、把持部と拭き取り部とを有し、把持部をつかんで拭き取り部を操作し、拭き取り部でサッシのレールにたまった塵埃を拭き取るサッシレール掃除用スポンジにおいて、前記拭き取り部をサッシレールの横断面形状に対応させて、階段状に段差を設けて形成したのである。
【０００８】
また、拭き取り部のそれぞれの段ごとに切れ込みを形成することで、拭き取り部を複数の拭き取り小片に分割するのが好ましい。さらに、拭き取り小片の長さを、サッシレールの傾斜に対応させ、それぞれの段ごとに、傾斜の下端に当接する拭き取り小片から上端に当接する拭き取り小片にかけて、次第に長くなるように形成するのが好ましい。
【考案の効果】
【０００９】
拭き取り部をサッシレールの幅方向の横断面形状に対応させて、階段状に段差を設けて形成することにより、サッシレール掃除用スポンジの拭き取り部がサッシレールの階段状構造によく合致するため、レールの隅々まで確実かつ迅速かつ簡易に清掃することができる。また、スポンジの拭き取り部に段差を設けるだけの単純な構造であるため、製造コストが非常に低廉ですむ。
【００１０】
拭き取り部のそれぞれの段ごとに切れ込みを形成し、拭き取り部を複数の拭き取り小片に分割することにより、拭き取り小片は、レール上に設けられた凸条等の障害物を避け、汚れのたまった部分にフィットするため拭き残しなく清掃することができる。また、スポンジの拭き取り部に切れ込みを形成する単純な構造であるため、製造コストが非常に低廉ですむ。
【００１１】
また、拭き取り部の拭き取り小片の長さを、サッシレールの傾斜に対応させて、それぞれの段ごとに、傾斜の下端に当接する拭き取り小片から上端に当接する拭き取り小片にかけて、次第に長くなるように形成することにより、サッシレールの傾斜面の上端に行くにしたがって拭き取り小片の可撓性を大きくすることで弾性的にフィットするため、より一層確実かつ迅速かつ簡易に清掃することができる。
【考案を実施するための最良の形態】
【００１２】
以下、図面を参照しつつこの考案の実施形態について説明する。
【００１３】
図１はこの考案にかかるサッシレール掃除用スポンジ１０の斜視図である。サッシレール掃除用スポンジ１０は把持部１１と拭き取り部１２とからなる。図のように、把持部１１は、手でつかみやすいように斜めに傾斜した形状となっており、拭き取り部１２は、階段状に段差を二段設けた形状になっている。また、拭き取り部１２には、切れ込み１２ａが複数形成されており切れ込み１２ａにより、拭き取り部１２は複数の拭き取り小片１２ｂに分割されている。切れ込み１２ａの深さはそれぞれの段について、図中左から右に行くにつれて深くなっている。すなわち、拭き取り小片１２ｂの長さは、それぞれの段について図中左から右に行くにつれて長くなっている。
【００１４】
また図のように、サッシレール掃除用スポンジ１０はセルの大きな多孔質発泡体から形成される層１０ａとセルの小さな多孔質発泡体から形成される層１０ｂとの二層構造になっている。このように形成することで、セルの大きな多孔質発泡体から形成される目の粗い層１０ａを用いて網戸を拭き掃除することができ、またセルの小さな多孔質発泡体から形成される目の細かい層１０ｂを用いて引き違い戸の窓ガラスを拭き掃除することができる。そのため、レールの掃除以外にもスポンジ１０の用途が広がり、サッシの清掃全般に利用することができるため利便性が向上する。
【００１５】
図２（ａ）は、サッシレール２０の横断面図である。サッシレール２０には、図示しない一組の引き違い戸がはめ込まれスライド可能になっている。図のように、サッシレール２０は一組の引き違い戸のそれぞれに対応して二つの平滑なレール面２１が平行かつ段違いとなる階段状の構造になっている。
【００１６】
図のようにレール面２１は、レール面２１を横断する方向に図中右から左に向けて傾斜している。このように形成することで、レール面２１上に砂やほこりがたまり汚れるのを可能な限り防止している。
【００１７】
また、レール面２１には引き違い戸の抜け止めのため、引き違い戸の底面に設けられた凹条に嵌め合わせる嵌合凸条２２が連設されている。さらに、レール面２１の両側には、側凸条２３が連設されている。
【００１８】
ここで、上記したようにレール面２１を傾斜させても、これら嵌合凸条２２とレール面２１との境界および側凸条２３とレール面２１の境界は、角隅となるため砂やほこりなどのこびりつきを防止できず特に汚れやすい問題がある。
【００１９】
そこで、図２（ｂ）のように、サッシレール掃除用スポンジ１０の把持部１１を手３０でつかみ拭き取り部１２を操作して上記したようなサッシレール２０に当接させる。すると、サッシレール掃除用スポンジ１０の拭き取り部１２には、段差が二段設けられているのでサッシレール２０の段差構造によく合致する。
【００２０】
また、切れ込み１２ａにより分割された拭き取り小片１２ｂが、サッシレール２０に当接する際に、嵌合凸条２２や側凸条２３を避けて通るためこれが清掃の障害となることはない。よって、ほこり等がたまりやすい嵌合凸条２２とレール面２１との境界や、側凸条２３とレール面２１との境界にも、拭き取り小片１２ｂが密に当接するためこびりついた頑固な汚れに対しても清掃能力を発揮する。
【００２１】
さらに図のように、切れ込み１２ａの深さが各段において、レール面２１の傾斜の下端に当接する部分から上端に当接する部分にかけて、次第に深くなっているため、上端に行くに従って拭き取り小片１２ｂの長さが長くなることで可撓性が増し、レール面２１の傾斜面に沿って拭き取り部１２をより一層密にフィットさせることができる。
【００２２】
以上のように、複雑な形状をしたサッシレール２０にも、サッシレール掃除用スポンジ１０の拭き取り部１２を密にフィットさせることができるため、角隅にこびりついた砂やほこりなどの通常は拭き取りが困難な汚れについても確実かつ迅速かつ簡易に清掃することができる。
【００２３】
ここでサッシレール掃除用スポンジ１０は、多孔質発泡体１０ａ、１０ｂから形成されているため、ブラシ等に比べてより多くの洗剤を含ませることができる。そのため、頑固な汚れについてもよりよい清掃能力を発揮することができる。
【００２４】
また、サッシレール掃除用スポンジ１０は、層１０ａと１０ｂとを積層接着してなるシート状のスポンジの一端を階段状に段差を付けて裁断し切れ目を入れ、他端を斜めに裁断する等して形成される。このように、製造工程が単純であるため低コストで製造することが可能である。
【００２５】
なおこの実施形態では、サッシレール掃除用スポンジ１０の段差を二段としたがこれに限られない。例えばサッシレール２０が一組の引き違い戸と網戸の三段構造になっている場合にはサッシレール掃除用スポンジ１０の段差を三段に形成したものが適用できる。
【図面の簡単な説明】
【００２６】
【図１】サッシレール掃除用スポンジの斜視図
【図２】（ａ）はサッシレールの横断面図、（ｂ）はサッシレールにサッシレール掃除用スポンジを当接させた図
【符号の説明】
【００２７】
１０  サッシレール掃除用スポンジ
１０ａ  セルの大きな多孔質発泡体から形成される層
１０ｂ  セルの小さな多孔質発泡体から形成される層
１１  把持部
１２  拭き取り部
１２ａ  切れ込み
１２ｂ  拭き取り小片
２０  サッシレール
２１  レール面
２２  嵌合凸条
２３  側凸条
３０  手
【図１】
0003108486.tif 000003
【図２】
0003108486.tif 000004